(57)【要約】【課題】  スローアウェイ切削工具を収納するチップケースからスローアウェイ切削工具を取り出す際に落下することを防ぐための取り出し部材を有するチップケースを低コストで作製する。【解決手段】  スローアウェイ切削工具２収納するスペース３を設けたプラスチックからなるケース本体４と、ケース本体４を密閉するプラスチックからなる蓋体２とからなり、ケース本体４および／または蓋体５と一体的にスローアウェイ工具２をケース本体４から取り出す際に用いる取り出し部材６が収納されている構造とする。【選択図】  図１
2006035393.tif 000002
【特許請求の範囲】
【請求項１】
スローアウェイ工具を収納するスペースを設けたプラスチックからなるケース本体と、ケース本体を密閉するプラスチックからなる蓋体とからなり、前記ケース本体および／または前記蓋体に前記スローアウェイ工具を前記ケース本体から取り出す際に用いる取り出し部材が収納されていることを特徴とするスローアウェイ工具収納用ケース。
【請求項２】
前記取り出し部材が前記ケース本体および／または前記蓋体と一体的に形成され、かつ前記取り出し部材の少なくとも一部を前記ケース本体および／または前記蓋体から切り取って前記スローアウェイ切削工具を取り出す構造となっていることを特徴とする請求項１記載のスローアウェイ工具収納用ケース。
【請求項３】
前記取り出し部材が長尺の略棒状をなすことを特徴とする請求項１または２に記載のスローアウェイ工具収納用ケース。
【請求項４】
前記取り出し部材の先端部分を前記スローアウェイ工具の前記取り付け孔に引っ掛けて前記スローアウェイ工具を前記ケース本体から取り出せるように前記取り出し部材の少なくとも片側の先端の形状がＬ字型をなすことを特徴とする請求項３に記載のスローアウェイ工具収納用ケース。
【請求項５】
前記取り出し部材の少なくとも片側の先端の形状が球状をなすことを特徴とする請求項３に記載のスローアウェイ工具収納用ケース。
【請求項６】
一旦使用した前記取り出し部材を保管する収納スペースを設けたことを特徴とする請求項１乃至５のいずれか記載のスローアウェイ工具収納用ケース。
【請求項７】
内接円直径が１２ｍｍ以下の大きさのスローアウェイ工具の収納に用いることを特徴とする請求項１乃至６のいずれかに記載のスローアウェイ工具収納用ケース。
【発明の詳細な説明】
【技術分野】
【０００１】
本発明は、スローアウェイ工具を収納するスローアウェイ工具収納用ケースに関するものである。
【背景技術】
【０００２】
スローアウェイ切削工具（以下、工具と称する。）を工具ホルダに取り付けて切削加工するスローアウェイ式工具が汎用されている。かかるスローアウェイ式工具においては、工具の切刃が寿命に達した時点で新しい工具に交換されるため、一般的に工具は複数個単位で販売されている。
【０００３】
従来この種の収納ケースとしては、例えば、特許文献１のように格子状の中枠で仕切られた１０個の略四角形状の収納部を有する箱型のプラスチック収納ケースが一般的であり、この略四角形状の収納部に工具が１個ずつ収納されていた。
【特許文献１】特許第３２７５６７５号公報
【発明の開示】
【発明が解決しようとする課題】
【０００４】
しかしながら、上記のようなプラスチックケースの略四角形状の収納部に工具を収納する方法では、特に小さなサイズの工具をケースから取り出す際に非常に取り出しにくく、取り出しの際に工具を強引に取り出そうとして誤って工具を落としてしまい、工具を紛失したり工具の切刃が損傷してしまう恐れがあった。このために、工具の切刃にチッピングや欠損が生じたり、切刃に異物が付着したり工具の寿命が短くなって工具費が増加する恐れがあった。
【０００５】
本発明は上記課題を解消するものであり、その目的は、形状やサイズにかかわらずスローアウェイ工具を取出しやすくできるスローアウェイ切削工具収納用ケースを提供することにある。
【課題を解決するための手段】
【０００６】
本発明者は、以下の構成からなる切削工具収納用ケースとすることにより、上記課題を解消できることを発明した。
【０００７】
本発明のスローアウェイ工具収納用ケースは、スローアウェイ工具を収納するスペースを設けたプラスチックからなるケース本体と、ケース本体を密閉するプラスチックからなる蓋体とからなり、前記ケース本体および／または前記蓋体に前記スローアウェイ工具を前記ケース本体から取り出す際に用いる取り出し部材が収納されていることを特徴とするものである。
【０００８】
なお、工具を取り出すために取り出し部材を置き忘れたりする可能性が低く、また、取り出し部材の大きさをケースの大きさに合わせることができ、かつ低コストで取り出し部材が作製可能な点で、前記取り出し部材が前記ケース本体および／または前記蓋体と一体的に形成され、かつ前記取り出し部材の少なくとも一部を前記ケース本体および／または前記蓋体から切り取って前記スローアウェイ工具を取り出す構造となっていることが望ましい。
【０００９】
また、前記取り出し部材が、長尺の略棒状をなすことが、前記スローアウェイ工具を取り出しやすく、かつ、低コストで作製することができるため望ましい。
【００１０】
ここで、前記取り出し部材の先端部分を前記スローアウェイ工具の前記取り付け孔に引っ掛けて前記スローアウェイ工具を前記ケース本体から取り出せるように前記取り出し部材の少なくとも片側の先端の形状がＬ字型であることが、前記スローアウェイ工具の取り出しが容易になるため望ましい。
【００１１】
一方、前記取り出し部材の少なくとも片側の先端の形状が球状をなすことが、前記スローアウェイ工具の取り出しが容易になるとともに、前記取出し棒の先端で切傷することを防止することができるため望ましい。
【００１２】
ここで、一旦使用した前記取り出し部材を保管する収納場所を設けることが、取り出し部材が紛失することなく長期間にわたって使用できる点で望ましい。
【００１３】
また、内接円直径が１２ｍｍ以下の大きさのスローアウェイ工具、特に、精密加工用切削工具のように従来のチップケースでは取り出しがしにくかった形状の工具の収納に用いた場合でも、チップケースから工具を容易に取り出すことができ、より好適に使用することができる。
【発明の効果】
【００１４】
上記本発明のスローアウェイ工具収納用ケースによれば、ケース本体および／または蓋体に切削工具を収納ケースから取り出すための取り出し部材を収納する構成とすることにより、取り出し部材を常備しつつも従来の収納ケースとほぼ同じ外観寸法に収納ケースを設計することでき、スローアウェイ工具の取り出しが便利である。
【発明を実施するための最良の形態】
【００１５】
本発明のスローアウェイ工具収納用ケースについて、その好適例である図１乃至３に基づいて説明する。図１はスローアウェイ工具収納用ケース（以下、単にチップケースと略す。）の一例を示す図であり、（ａ）概略平面図、（ｂ）図１（ａ）のＸ−Ｘ断面図、図２は図１のＡ部の概略拡大平面図、図３は取り出し部材の実施例を示す概略斜視図である。
【００１６】
図１の収納ケース１は、スローアウェイ工具（以下、単に工具と略す）２が収納される収納部３を有し、プラスチックからなるケース本体４と、ケース本体４を密閉するためのプラスチックからなる蓋体５とから構成されてなる。
【００１７】
ここで、図１のチップケースによれば、工具２を収納ケース１から取り出す際に使用する取り出し部材６をケース本体４および／または蓋体５と同じ材質にて一体に形成していて、取り出し部材６を切り取って使用する構造となっている。
【００１８】
この構成によって、取り出し部材６を使って工具２の収納ケース１からの取り出しを容易にできるとともに、取り出し部材６をケース本体４および／または蓋体５と一体にする、すなわち金型でのプレス成形等でケース本体４および／または蓋体５の形状を作る際に取り出し部材６も一緒に作製することができるためコストがかからないという効果がある。
【００１９】
なお、本発明によれば、必ずしも取出し部材６とケース本体４および／または蓋体５と一体的に形成するものでなくてもよいが、製造コストおよび製品の梱包コストを低減できる点で取出し部材６とケース本体４および／または蓋体５と一体的に形成する構成であることが望ましい。
【００２０】
ここで、取り出し部材６は、ケース本体４および蓋体５のどちらに一体となっていても良いが、成形しやすく、工具の収納、封止の妨げにならない点でケース本体４と一体になっていることがよい。
【００２１】
また、取り出し部材６とチップケースを一体にする方法としては、例えば、収納ケース１と取り出し部材６間に細いリブ（くびれ）１０を形成して、リブ（くびれ）１０の部分から取り出し部材６を切り離して取り外す構造（図２参照）や、収納ケース１に取り出し部材の形にミシン目状等の切り込みを入れて切り抜いて取り出し部材６を使用する構造等がある。
【００２２】
また、取り出し部材６収納ケース１から切り取った後、取り出し部材６を落として紛失することを防ぐために一旦使用した取り出し部材６を収納ケース１に再び収納するための収納スペース９を設けておくことが望ましい。
【００２３】
ここで、取り出し部材６は、ピンセット等でもよいが、が長尺の棒状をなす取り出し部材とすることが、工具２の取り出しを容易にするとともに、単純形状で作製しやすく、低コストで作製することができるため望ましい。
【００２４】
さらに、取り出し部材６の少なくとも片側の先端１１の形状が図３（ａ）に示すようなＬ字型になっている場合には、工具２に設けられた取り付け孔１５等に取り出し部材６の先端１１を引っ掛けることができるため、より簡単に確実に工具２を収納ケース１から取り出すことができるため望ましい。一方、取り出し部材６の少なくとも片側の先端１１の形状が図３（ｂ）に示すような球状になっている場合には、工具２を収納ケース１から取り出すことが容易になり、かつ、取り出し部材６の先端１１で手を切傷したりすることがなくなるため望ましい。
【００２５】
ここで、本発明によれば、取り出し部材６の形状は棒状や板状等の工具２を取り出すことが可能な形状ならばよいが、製造、使いやすさの点で棒状をなすものがよい。
【００２６】
また、取り出し部材６の横断面形状は多角形状であっても円形、楕円形状であっても、それ以外の形状であってもよい。
【００２７】
また、本発明の収納ケース１に使用されるケース本体４は、収納部３が複数の工具２を隔離して収納するための中枠８にて仕切られている構造にすることが、工具２同士がぶつかり合って工具２の切刃がかけてしまうことを防ぐ点で望ましい。
【００２８】
さらに、中枠８にて仕切った空間に工具２を収納するための収納空間を空けた緩衝部材７を入れ込んで工具２を収納する構造とするのが、工具２の切刃がチップケースと接触して損傷することを防いで工具２を収納することが可能である点で望ましい。
【００２９】
なお、その際にケース本体４と緩衝部材７とを接着すれば、緩衝部材７がケース本体４から浮き上がったり、外れたりすることなく、工具４が安定して収納できるとともに収納ケース１を長期にわたって使用可能となる。
【００３０】
さらに、収納ケース１が、図１のようなケース本体４とスライド式の蓋５とを組み合わせた箱体からなるとともに、該箱体の底面に収納ケース１，１同士を積層する時に係止めとなる突起１２を備えているタイプに対しても好適に適応可能である。
【００３１】
上記構成のチップ収納ケースは、図１に示すようにケース本体４内の各収納部３に工具２を１つずつ載置する。そして、蓋５をスライドさせながら装着することにより収納部３を封じる（図示せず）。さらに、所望により、ケース本体４と蓋５との双方にかかるようにラベルを貼ることによって完成する。
【００３２】
なお、図１では、工具２として主面が多角形状をなす板状の、いわゆるスローアウェイチップについて例示したが、本発明はこれに限定されるものではなく、ドリルやエンドミル、ボーリングバー等の棒状部を有する工具や、略直方体形状の溝入れ工具等に対しても好適に適応可能である。
【００３３】
特に、本発明のチップケースは、内接円半径１２ｍｍ以下の小さなサイズの工具、特に精密加工用切削工具のように従来のチップケースでは取り出しがしにくかった形状の工具２の収納に用いた場合でも、収納ケース１から工具２を容易に取り出すことができ、より好適に使用することができる。
【図面の簡単な説明】
【００３４】
【図１】本発明の一例を示す切削工具収納用チップケースの図であり、（ａ）概略平面図、（ｂ）Ｘ−Ｘ断面図である。
【図２】図１のＡ部の概略要部拡大平面図である。
【図３】（ａ）Ｌ字型の先端形状を持つ取り出し部材を示す概略斜視図である。
【００３５】
（ｂ）球状の先端形状を持つ取り出し部材を示す概略斜視図である。
【符号の説明】
【００３６】
１    スローアウェイ工具用収納ケース（収納ケース）
２    スローアウェイ工具（工具）
３    収納部
４    ケース本体
５    蓋体
６    取り出し部材
７    緩衝部材
８    中枠
９    収納スペース
１０  リブ（くびれ）
１１  取り出し部材の先端
１２  突起
１５  取り付け孔
【図１】
2006035393.tif 000003
【図２】
2006035393.tif 000004
【図３】
2006035393.tif 000005